(57)【要約】【課題】枠部品の位置ずれを容易に修正し、枠部品と枠部品との間に隙間が生じることを抑制することができる取付器具を提供する。【解決手段】取付器具１００は、取付面に取付対象物２１０を取り付ける。取付器具１００は、取付部材１１０と、一対の縦枠部品１２０ａ、１２０ｂと、一対の横枠部品１３０ａ、１３０ｂと、接続部材１４０とを備える。一対の縦枠部品１２０ａ、１２０ｂと、一対の横枠部品１３０ａ、１３０ｂとは、取付部材１１０を支持する。接続部材１４０は、一対の縦枠部品１２０ａ、１２０ｂのうちの１つと、一対の横枠部品１３０ａ、１３０ｂのうちの１つとを接続する。接続部材１４０は、板状部材１４２ａとネジ１４４ａ、１４６ａとを有する。一対の縦枠部品１２０ａ、１２０ｂのうちの１つと、一対の横枠部品１３０ａ、１３０ｂのうちの１つとは、板状部材１４２ａとネジ１４４ａ、１４６ａとによって接続される。【選択図】図２
2018186031.tif 000002
【特許請求の範囲】
【請求項１】
取付面に取付対象物を取り付ける取付器具であって、
前記取付対象物が取り付けられる取付部材と、
前記取付部材を支持する一対の縦枠部品と一対の横枠部品と、
前記一対の縦枠部品のうちの１つと、前記一対の横枠部品のうちの１つとを接続する接続部材と
を備え、
前記接続部材は、板状部材とネジとを有し、
前記一対の縦枠部品のうちの１つと、前記一対の横枠部品のうちの１つとは、前記板状部材と前記ネジとによって接続される、取付器具。
【請求項２】
灯具本体と、取付面に前記灯具本体を取り付ける取付器具とを備え、
前記取付器具は、
前記灯具本体が取り付けられる取付部材と、
前記取付部材を支持する一対の縦枠部品と一対の横枠部品と、
前記一対の縦枠部品のうちの１つと、前記一対の横枠部品のうちの１つとを接続する接続部材とを
を有し、
前記接続部材は、板状部材とネジとを有し、
前記一対の縦枠部品のうちの１つと、前記一対の横枠部品のうちの１つとは、前記板状部材と前記ネジとによって接続される、照明器具。
【発明の詳細な説明】
【技術分野】
【０００１】
本発明は、取付器具および照明器具に関する。
【背景技術】
【０００２】
照明器具の一種として、天井に埋め込まれて使用されるダウンライトが知られている（例えば、特許文献１）。特許文献１に記載の照明装置は、１から複数の灯具を組み合わせて建物の天井に設置される。特許文献１に記載の照明装置は、略矩形の底枠と、側壁とを備える。側壁は底枠の四辺に立設される。化粧板と押上板とは側壁に固定される。化粧板と押上板とは灯具の取付板として用いられる。特許文献１に記載の照明装置では、枠体（底枠および側壁）を介して、灯具は天井に取り付けられる。
【０００３】
辺ごとに４つの互いに独立した枠部品を接続することによって構成されている枠体を備える照明器具が知られている。互いに独立した枠部品を接続する場合、リベットによって接続されることが知られている。
【先行技術文献】
【特許文献】
【０００４】
【特許文献１】特開２０１５−５００２０号公報
【発明の概要】
【発明が解決しようとする課題】
【０００５】
しかしながら、互いに独立した枠部品をリベットによって接続すると、枠部品の位置ずれが生じる可能性があった。その結果、枠部品と枠部品との間に隙間が生じることがあった。また、互いに独立した枠部品をリベットによって接続すると、一度接続すると容易にリベットを取り外すことができないため位置が固定される。その結果、枠部品の位置ずれを容易に修正しにくい。
【０００６】
本発明は上記課題に鑑みてなされたものであり、その目的は枠部品の位置ずれを容易に修正し、枠部品と枠部品との間に隙間が生じることを抑制することができる取付器具および照明器具を提供することにある。
【課題を解決するための手段】
【０００７】
本願に開示する取付器具は、取付面に取付対象物を取り付ける。前記取付器具は、取付部材と、一対の縦枠部品と、一対の横枠部品と、接続部材とを備える。前記取付部材は、前記取付対象物が取り付けられる。前記一対の縦枠部品と、前記一対の横枠部品とは、前記取付部材を支持する。前記接続部材は、前記一対の縦枠部品のうちの１つと、前記一対の横枠部品のうちの１つとを接続する。前記接続部材は、板状部材とネジとを有する。前記一対の縦枠部品のうちの１つと、前記一対の横枠部品のうちの１つとは、前記板状部材と前記ネジとによって接続される。
【０００８】
本願に開示する照明器具は、灯具本体と、取付器具とを備える。前記取付器具は、取付面に前記灯具本体を取り付ける。前記取付器具は、取付部材と、一対の縦枠部品と、一対の横枠部品と、接続部材とを有する。前記取付部材は、前記灯具本体が取り付けられる。前記一対の縦枠部品と前記一対の横枠部品とは、前記取付部材を支持する。前記接続部材は、前記一対の縦枠部品のうちの１つと、前記一対の横枠部品のうちの１つとを接続する。前記接続部材は、板状部材とネジとを有する。前記一対の縦枠部品のうちの１つと、前記一対の横枠部品のうちの１つとは、前記板状部材と前記ネジとによって接続される。
【発明の効果】
【０００９】
本発明によれば、枠部品の位置ずれを容易に修正し、枠部品と枠部品との間に隙間が生じることを抑制することができる。
【図面の簡単な説明】
【００１０】
【図１】（ａ）および（ｂ）は、本発明の実施形態に係る照明器具の斜視図である。
【図２】（ａ）および（ｂ）は、本発明の実施形態に係る取付器具の斜視図である。
【図３】本発明の実施形態に係る取付器具の分解斜視図である。
【図４】本発明の実施形態に係る取付器具の上面図である。
【図５】本発明の実施形態に係る照明器具の斜視図である。
【図６】本発明の実施形態に係る取付器具の斜視図である。
【図７】本発明の実施形態に係る取付器具の分解斜視図である。
【図８】本発明の実施形態に係る取付器具の上面図である。
【図９】本発明の実施形態に係る取付器具の底面図である。
【図１０】板状部材の近傍の拡大図である。
【発明を実施するための形態】
【００１１】
以下、本発明の実施形態について、図面を参照しながら説明する。なお、図中、同一または相当部分については同一の参照符号を付して説明を繰り返さない。
【００１２】
図１を参照して、本発明の実施形態に係る照明器具２００について説明する。図１（ａ）および図１（ｂ）は、本発明の実施形態に係る照明器具２００の斜視図である。また、本明細書において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１３】
図１に示すように、照明器具２００は、灯具本体２１０（取付対象物の一例）と、取付器具１００とを備える。照明器具２００は、例えば、ユニバーサルダウンライトである。灯具本体２１０は、灯具本体２１０の照射方向をＹ軸に沿って回動可能なように構成されている。取付器具１００は、取付面に灯具本体２１０を取り付ける。すなわち、灯具本体２１０は、取付器具１００を介して取付面に取り付けられる。取付面は、例えば、天井、壁または床である。以下、本明細書において、取付面として天井を例に挙げて説明する。
【００１４】
図１〜図３を参照して、本発明の実施形態に係る取付器具１００について説明する。図２（ａ）および図２（ｂ）は、本発明の実施形態に係る取付器具１００の斜視図である。図３は、本発明の実施形態に係る取付器具１００の分解斜視図である。
【００１５】
図２（ａ）および図２（ｂ）に示すように、取付器具１００は、取付部材１１０と、一対の縦枠部品（縦枠部品１２０ａおよび縦枠部品１２０ｂ）と、一対の横枠部品（横枠部品１３０ａおよび横枠部品１３０ｂ）と、接続部材（接続部材１４０ａ、接続部材１４０ｂ、接続部材１４０ｃおよび接続部材１４０ｄ）と、化粧板１５０と、取付部１６０とを備える。本明細書において、接続部材１４０ａ、接続部材１４０ｂ、接続部材１４０ｃおよび接続部材１４０ｄを総称して接続部材１４０と記載する場合がある。
【００１６】
取付部材１１０は、例えば、矩形状である。取付部材１１０は、例えば、薄板状である。取付部材１１０には開口１１２が形成されている。開口１１２には、灯具本体２１０が通過可能である。開口１１２に灯具本体２１０を通過させて、灯具本体２１０は取付部材１１０に取り付けられる。
【００１７】
図３に示すように、取付部材１１０は、平坦部１１６と、起立部１１８と、支持部１１４とを有する。平坦部１１６は、平坦状である。起立部１１８は、平坦部１１６の外周面の一部から起立している。起立部１１８には、貫通孔１１９が形成されている。支持部１１４は、平坦部１１６に取り付けられている。取付部材１１０は、縦枠部品１２０ａと、縦枠部品１２０ｂとに固定されている。詳しくは、取付部材１１０は、ネジ１６２が取付部１６０の孔１６１と縦枠部品１２０ａ及び縦枠部品１２０ｂの孔１３３とを介して貫通孔１１９に螺合されることによって、取付部１６０と共に、縦枠部品１２０ａと縦枠部品１２０ｂとに固定される。支持部１１４は、灯具本体２１０が取付部材１１０に取り付けられている際、灯具本体２１０を支持する。
【００１８】
図３に示すように、縦枠部品１２０ａと、縦枠部品１２０ｂと、横枠部品１３０ａと、横枠部品１３０ｂとは互いに独立した部品で構成されている。縦枠部品１２０ａと、縦枠部品１２０ｂと、横枠部品１３０ａと、横枠部品１３０ｂとは、例えば押出成形することによって形成される。縦枠部品１２０ａと、縦枠部品１２０ｂとは同じ形状を有する。横枠部品１３０ａと、横枠部品１３０ｂとは同じ形状を有する。本実施形態では、取付部材１１０は正方形の薄板状であり、縦枠部品１２０ａと、縦枠部品１２０ｂと、横枠部品１３０ａと、横枠部品１３０ｂとは同じ形状を有する。
【００１９】
図２に示すように、縦枠部品１２０ａと、縦枠部品１２０ｂと、横枠部品１３０ａと、横枠部品１３０ｂとは、取付部材１１０の四方を囲むように配置される。縦枠部品１２０ａと、縦枠部品１２０ｂと、横枠部品１３０ａと、横枠部品１３０ｂとのそれぞれは、ベース部１３２と、起立部１３４とを有する。ベース部１３２は、平坦状である。取付器具１００を天井に取り付けた際、ベース部１３２の上面が天井に当接する。起立部１３４は、ベース部１３２から起立する。起立部１３４には、貫通孔１３８が形成される（図３参照）。貫通孔１３８は、縦枠部品１２０ａと、縦枠部品１２０ｂと、横枠部品１３０ａと、横枠部品１３０ｂとのそれぞれの端部に形成される。本実施形態では、貫通孔１３８は丸孔である。貫通孔１３８は、後述するネジ１４４ａと、ネジ１４６ａとが通過可能である。貫通孔１３８には、ネジ溝が切られている。起立部１３４は、内側面１３６と外側面１３７とを有する。内側面１３６には、溝１３１が形成されている。起立部１３４は、支持部１３５を有する。
【００２０】
縦枠部品１２０ａと、縦枠部品１２０ｂと、横枠部品１３０ａと、横枠部品１３０ｂとは、取付部材１１０を支持する。詳しくは、縦枠部品１２０ａの支持部１３５と、縦枠部品１２０ｂの支持部１３５と、横枠部品１３０ａの支持部１３５と、横枠部品１３０ｂの支持部１３５とが、取付部材１１０の下面に当接することによって取付部材１１０は支持される。
【００２１】
接続部材１４０ａと、接続部材１４０ｂと、接続部材１４０ｃと、接続部材１４０ｄとは、外側面１３７に配置される。接続部材１４０ａと、接続部材１４０ｂと、接続部材１４０ｃと、接続部材１４０ｄとのそれぞれは、板状部材とネジとを有する。例えば、接続部材１４０ａは、板状部材１４２ａと、ネジ１４４ａと、ネジ１４６ａとを有する。板状部材１４２ａは、Ｌ字状である。板状部材１４２ａの平坦面には、貫通孔１４８が形成される（図３参照）。貫通孔１４８には、ネジ溝が切られている。なお、貫通孔１３８にネジ溝が切られている場合、貫通孔１４８にはネジ溝が切られていなくてもよい。
【００２２】
接続部材１４０は、一対の縦枠部品（縦枠部品１２０ａおよび縦枠部品１２０ｂ）のうちの１つと、一対の横枠部品（横枠部品１３０ａおよび横枠部品１３０ｂ）のうちの１つとを接続する。例えば、接続部材１４０ａは、縦枠部品１２０ａと横枠部品１３０ａとを接続する。一対の縦枠部品（縦枠部品１２０ａおよび縦枠部品１２０ｂ）のうちの１つと、一対の横枠部品（横枠部品１３０ａおよび横枠部品１３０ｂ）のうちの１つとは、板状部材とネジとによって接続される。例えば、縦枠部品１２０ａと横枠部品１３０ａとは、板状部材１４２ａと、ネジ１４４ａと、ネジ１４６ａとによって接続される。詳しくは、ネジ１４４ａが板状部材１４２ａの貫通孔１４８と縦枠部品１２０ａの貫通孔１３８に螺合され、かつ、ネジ１４６ａが板状部材１４２ａの貫通孔１４８と横枠部品１３０ａの貫通孔１３８とに螺合されることによって、縦枠部品１２０ａと横枠部品１３０ａとは接続される。
【００２３】
化粧板１５０は、縦枠部品１２０ａと、縦枠部品１２０ｂと、横枠部品１３０ａと、横枠部品１３０ｂとによって支持される。詳しくは、化粧板１５０は、縦枠部品１２０ａの溝１３１と、縦枠部品１２０ｂの溝１３１と、横枠部品１３０ａの溝１３１と、横枠部品１３０ｂの溝１３１とによって挟持される。化粧板１５０には開口１５２が形成されている。開口１５２と開口１１２との径は略同一である。化粧板１５０は、取付部材１１０の下方に配置される。また、化粧板１５０の大きさは、取付部材１１０の大きさよりも大きい。本実施形態では、化粧板１５０の大きさは、取付部材１１０の大きさと略同一である。したがって、化粧板１５０は、取付部材１１０が露出することを抑制できる。その結果、照明器具２００の美観を向上できる。
【００２４】
取付部１６０は、本実施形態では、取付バネである。本実施形態では、４つの取付バネが使用される。４つの取付部１６０は、その基端部が縦枠部品１２０ａまたは縦枠部品１２０ｂに固定されている。取付部１６０によって、取付器具１００は、天井に取り付けられる。その結果、灯具本体２１０が天井に取り付けられる。
【００２５】
取付器具１００では、一対の縦枠部品のうちの１つと、一対の横枠部品のうちの１つとは、板状部材とネジとによって接続される。したがって、ネジの締め付け度合によって枠部品の位置を微調整することができる。詳しくは、ネジ１４４ａの締め付け度合に応じて、Ｙ軸方向に沿った方向に横枠部品１３０ａの位置を調整することができる。例えば、ネジ１４４ａを一旦横枠部品１３０ａに固定した後、さらにネジ１４４ａを回すことによって、方向Ｄ１へ移動するように横枠部品１３０ａの位置を変更することができる。一方、ネジ１４６ａの締め付け度合に応じて、Ｘ軸方向に沿った方向に縦枠部品１２０ａの位置を調整することができる。例えば、ネジ１４６ａを一旦縦枠部品１２０ａに固定した後、さらにネジ１４４ａを回すことによって、方向Ｄ２へ移動するように縦枠部品１２０ａの位置を変更することができる。したがって、縦枠部品と横枠部品との間に隙間が生じることを抑制することができる。その結果、隙間から光が漏れることを抑制することができる。また、隙間からほこり等の異物が入ってくることを抑制することができる。
【００２６】
図４を参照して、本発明の実施形態に係る取付器具１００について更に説明する。図４は、本発明の実施形態に係る取付器具１００の上面図である。図４において、長さｄ１は、縦枠部品１２０ａと、縦枠部品１２０ｂとの縦方向（Ｙ軸方向）に沿った長さである。長さｄ２は、横枠部品１３０ａと、横枠部品１３０ｂとの横方向（Ｘ軸方向）に沿った長さである。
【００２７】
図４に示すように、縦枠部品１２０ａと、縦枠部品１２０ｂと、横枠部品１３０ａと、横枠部品１３０ｂとのそれぞれの端部１３９は、長手方向に対して斜めに切り欠かれている。したがって、接続部材１４０によって、縦枠部品と横枠部品とを接続した際、縦枠部品の端部１３９と横枠部品の端部１３９とが接触（例えば面接触）する。その結果、縦枠部品と横枠部品との間に隙間が生じることを抑制することができる。
【００２８】
また、長さｄ１と長さｄ２とは等しい。したがって、縦枠部品１２０ａと、縦枠部品１２０ｂと、横枠部品１３０ａと、横枠部品１３０ｂとは共通の部品である。
【００２９】
以上、図１〜図４を参照して説明したように、取付器具１００では、一対の縦枠部品のうちの１つと、一対の横枠部品のうちの１つとは、板状部材とネジとによって接続される。したがって、ネジの締め付け度合によって枠部品の位置を微調整することができる。その結果、縦枠部品と横枠部品との間に隙間が生じることを抑制することができる。
【００３０】
図５を参照して、本発明の実施形態に係る照明器具２００について説明する。図５は、本発明の実施形態に係る照明器具２００の斜視図である。照明器具２００は、灯具本体２１０を２つ備える点を除いて、図１を参照して説明した照明器具２００と同様な構成を有するため、重複部分については説明を省略する。
【００３１】
図５に示すように、照明器具２００は、灯具本体２１０ａと、灯具本体２１０ｂと、取付器具１００とを備える。灯具本体２１０ａと、灯具本体２１０ｂとは、それぞれ個別に照射方向をＹ軸に沿って回動可能なように構成されている。取付器具１００は、取付面に灯具本体２１０ａと、灯具本体２１０ｂとを取り付ける。すなわち、灯具本体２１０ａと、灯具本体２１０ｂとは、取付器具１００を介して取付面に取り付けられる。
【００３２】
図５〜図７を参照して、本発明の実施形態に係る取付器具１００について説明する。図６は、本発明の実施形態に係る取付器具１００の斜視図である。図７は、本発明の実施形態に係る取付器具１００の分解斜視図である。取付器具１００は、取付部材１１０を２つ備える点、横枠部品の横方向（Ｘ軸方向）に沿った長さと、縦枠部品の縦方向（Ｙ軸方向）に沿った長さとが異なる点、取付部１６０が異なる点を除いて、図２および図３を参照して説明した取付器具１００と同様な構成を有するため、重複部分については説明を省略する。
【００３３】
図６に示すように、取付器具１００は、取付部材１１０ａと、取付部材１１０ｂと、一対の縦枠部品（縦枠部品１２０ａおよび縦枠部品１２０ｂ）と、一対の横枠部品（横枠部品１３０ａおよび横枠部品１３０ｂ）と、接続部材（接続部材１４０ａ、接続部材１４０ｂ、接続部材１４０ｃおよび接続部材１４０ｄ）と、化粧板１５０と、取付部１６０とを備える。
【００３４】
取付部１６０は、側板１６２ａと、側板１６２ｂと、天板１６４とを有する。側板１６２ａの一方の端部は縦枠部品１２０ａに接続している。側板１６２ａの他方の端部は天板１６４に接続している。また、側板１６２ｂの一方の端部は縦枠部品１２０ｂに接続している。側板１６２ｂの他方の端部は天板１６４に接続している。天板１６４には、２つの貫通孔１６６が形成されている。貫通孔１６６には、吊りボルトが挿入される。吊りボルトの一端は、例えば天井裏の上面に取り付けられている。貫通孔１６６を通過した吊りボルトの先端にワッシャおよび六角ナットが螺合されることによって、取付器具１００が天井裏の上面に固定される。
【００３５】
図７に示すように、縦枠部品１２０ａと、縦枠部品１２０ｂと、横枠部品１３０ａと、横枠部品１３０ｂとは互いに独立した部品で構成されている。縦枠部品１２０ａと、縦枠部品１２０ｂと、横枠部品１３０ａと、横枠部品１３０ｂとは、例えば押出成形することによって形成される。縦枠部品１２０ａと、縦枠部品１２０ｂとは同じ形状を有する。横枠部品１３０ａと、横枠部品１３０ｂとは同じ形状を有する。本実施形態では、縦枠部品１２０ａおよび縦枠部品１２０ｂの形状と、横枠部品１３０ａおよび横枠部品１３０ｂの形状とは異なる。詳しくは、横枠部品１３０ａおよび横枠部品１３０ｂの横方向（Ｘ軸方向）に沿った長さは、縦枠部品１２０ａおよび縦枠部品１２０ｂの縦方向（Ｙ軸方向）に沿った長さの２倍である。また、取付部材１１０ａと、取付部材１１０ｂとは同じ形状を有する。
【００３６】
図８を参照して、本発明の実施形態に係る取付器具１００について更に説明する。図８は、本発明の実施形態に係る取付器具１００の上面図である。取付器具１００は、取付部材１１０を２つ備える点、横枠部品の横方向（Ｘ軸方向）に沿った長さと、縦枠部品の縦方向（Ｙ軸方向）に沿った長さとが異なる点、取付部１６０が異なる点を除いて、図４を参照して説明した取付器具１００と同様な構成を有するため、重複部分については説明を省略する。
【００３７】
長さｄ２は、長さｄ１の２倍である。横枠部品１３０ａの長さと、横枠部品１３０ｂの長さが長い場合、一般的に公差による影響が大きくなる。しかしながら、取付器具１００では、ネジの締め付け度合によって枠部品の位置を微調整することができる。その結果、縦枠部品と横枠部品との間に隙間が生じることを抑制することができる。
【００３８】
一対の横枠部品の横方向に沿った長さは、一対の縦枠部品の縦方向に沿った長さの整数倍であることが好ましい。図９を参照して、一対の横枠部品の横方向に沿った長さは、一対の縦枠部品の縦方向に沿った長さの整数倍であることが好ましいことについて説明する。図９は、本発明の実施形態に係る取付器具１００の底面図である。図９（ａ）に示す取付器具１００は、１灯用の取付器具を示す。図９（ｂ）に示す取付器具１００は、２灯用の取付器具を示す。図９（ｃ）に示す取付器具１００は、３灯用の取付器具を示す。図９（ｄ）に示す取付器具１００は、４灯用の取付器具を示す。
【００３９】
図９（ａ）に示す取付器具１００では、長さｄ２は、長さｄ１と等しい。したがって、縦枠部品１２０ａと、縦枠部品１２０ｂと、横枠部品１３０ａと、横枠部品１３０ｂとは共通の部品である。
【００４０】
図９（ｂ）に示す取付器具１００では、長さｄ２は、長さｄ１の２倍である。図９（ａ）に示す長さｄ１と、図９（ｂ）に示す長さｄ１は等しい。したがって、図９（ａ）に示す取付器具１００の縦枠部品１２０ａと、縦枠部品１２０ｂと、図９（ｂ）に示す取付器具１００の縦枠部品１２０ａと、縦枠部品１２０ｂとは共通の部品である。
【００４１】
図９（ｃ）に示す取付器具１００では、長さｄ２は、長さｄ１の３倍である。図９（ａ）に示す長さｄ１と、図９（ｃ）に示す長さｄ１は等しい。したがって、図９（ａ）に示す取付器具１００の縦枠部品１２０ａと、縦枠部品１２０ｂと、図９（ｃ）に示す取付器具１００の縦枠部品１２０ａと、縦枠部品１２０ｂとは共通の部品である。
【００４２】
図９（ｄ）に示す取付器具１００では、長さｄ２は、長さｄ１と等しい。したがって、縦枠部品１２０ａと、縦枠部品１２０ｂと、横枠部品１３０ａと、横枠部品１３０ｂとは共通の部品である。また、図９（ｂ）に示す長さｄ２は、図９（ｄ）に示す長さｄ１および長さｄ２と等しい。したがって、図９（ｂ）に示す取付器具１００の横枠部品１３０ａと、横枠部品１３０ｂと、図９（ｄ）に示す取付器具１００の縦枠部品１２０ａと、縦枠部品１２０ｂと、横枠部品１３０ａと、横枠部品１３０ｂとは共通の部品である。
【００４３】
以上、図９を参照して説明したように、取付器具１００では、一対の横枠部品（横枠部品１３０ａおよび横枠部品１３０ｂ）の横方向に沿った長さｄ２は、一対の縦枠部品（縦枠部品１２０ａおよび縦枠部品１２０ｂ）の縦方向に沿った長さｄ１の整数倍である。したがって、横枠部品と縦枠部品とを組み合わせることによって、取り付けられる灯具の数に応じて、複数の種類の枠体を形成することができる。また、図７を参照して上述したように、取付部材１１０は同じ形状を有する。したがって、取付部材１１０も共通の部品を用いることができる。その結果、灯具の数ごとに専用の枠を製造するのに比べて在庫管理が容易になる。また、取付器具１００では、灯具の数ごとに製造された専用の枠に比べて、小さな枠部品で在庫を管理することができる。したがって、保管時のスペースを削減することができる。また、取付器具１００の梱包容器（例えばダンボール箱）を小型化できるので、輸送コストを削減できる。
【００４４】
以上、図面（図１〜図９）を参照しながら本発明の実施形態を説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００４５】
（１）図１〜図９を参照して説明したように、取付器具１００では、接続部材１４０は、起立部１３４の外側面１３７に配置されていたが、本発明はこれに限定されない。例えば、接続部材１４０は、起立部１３４の内側面１３６に配置されてもよい。
【００４６】
（２）図１〜図９を参照して説明したように、取付器具１００では、ネジ１４４ａ、１４６ａを貫通孔１３８に螺合することによって、縦枠部品１２０ａと横枠部品１３０ａとを接続していたが、締め付け度合を調整できる部品である限り本発明はこれに限定されない。例えば、ボルトとナットによって、縦枠部品１２０ａと横枠部品１３０ａとを接続してもよい。この場合、貫通孔１３８と貫通孔１４８とには、ネジ溝が切られていなくてもよい。
【００４７】
（３）図１〜図９を参照して説明したように、取付器具１００では、貫通孔１３８にはネジ溝が切られていたが、本発明はこれに限定されない。例えば、貫通孔１３８にはネジ溝が切られていなくもよい。この場合、例えば、タッピングネジによって、縦枠部品１２０ａと横枠部品１３０ａとを接続してもよい。
【００４８】
（４）図１〜図９を参照して説明したように、取付器具１００では、板状部材１４２ａは、Ｌ字状であったが、本発明はこれに限定されない。図１０を参照して、板状部材１４２ａの形状の一例を説明する。図１０は、板状部材１４２ａの近傍の拡大図である。板状部材１４２ａは、固定部１４２２と、固定部１４２４と、接続部１４２６とを有する。接続部１４２６は、固定部１４２２と、固定部１４２４とを接続している。接続部１４２６は、固定部１４２２と、固定部１４２４とに直交するように配置されている。固定部１４２２は、ネジ１４４ａによって横枠部品１３０ａに固定される。固定部１４２４は、ネジ１４４ａによって縦枠部品１２０ａに固定される。したがって、板状部材１４２ａによって、縦枠部品１２０ａと横枠部品１３０ａとは接続される。
【００４９】
（５）図１〜図９を参照して説明したように、取付器具１００では、起立部１３４の厚さは、ネジ１４４ａ、１４６ａの外径よりも薄かったが、本発明はこれに限定されない。例えば、起立部１３４の厚さは、ネジ１４４ａ、１４６ａの外径よりも厚くても良い。この場合、ネジ１４４ａの先端およびネジ１４６ａの先端が下方向（Ｚ軸方向）に向くようにして、貫通孔１３８に挿入してもよい。
【００５０】
（６）図１〜図９を参照して説明したように、取付器具１００では、取付対象物は、灯具本体２１０であったが、本発明はこれに限定されない。例えば、取付対象物は、スピーカーであってもよい。
【００５１】
本願は、さらに以下の付記を開示する。なお、以下の付記は、本発明を限定するものではない。
【００５２】
（付記１）
取付面に取付対象物を取り付ける取付器具であって、
前記取付対象物が取り付けられる取付部材と、
前記取付部材を支持する一対の縦枠部品と一対の横枠部品と、
前記一対の縦枠部品のうちの１つと、前記一対の横枠部品のうちの１つとを接続する接続部材と
を備え、
前記接続部材は、板状部材とネジとを有し、
前記一対の縦枠部品のうちの１つと、前記一対の横枠部品のうちの１つとは、前記板状部材と前記ネジとによって接続される、取付器具。
【００５３】
（付記２）
前記一対の縦枠部品と前記一対の横枠部品とのそれぞれには前記ネジが通過可能な貫通孔が形成されている、付記１に記載の取付器具。
【００５４】
（付記３）
前記一対の縦枠部品と前記一対の横枠部品とのそれぞれは、ベース部と、前記ベース部から起立する起立部とを有し、
前記貫通孔は前記起立部に形成される、付記２に記載の取付器具。
【００５５】
（付記４）
前記起立部は、内側面と外側面とを有し、
前記板状部材は、前記外側面に配置される、付記３に記載の取付器具。
【００５６】
（付記５）
前記板状部材はＬ字状である、付記１から付記４のいずれか１項に記載の取付器具。
【００５７】
（付記６）
前記ネジはタッピングネジを含む、付記１から付記５のいずれか１項に記載の取付器具。
【００５８】
（付記７）
前記一対の横枠部品の横方向に沿った長さは、前記一対の縦枠部品の縦方向に沿った長さの整数倍である、付記１から付記６のいずれか１項に記載の取付器具。
【００５９】
（付記８）
灯具本体と、取付面に前記灯具本体を取り付ける取付器具とを備え、
前記取付器具は、
前記灯具本体が取り付けられる取付部材と、
前記取付部材を支持する一対の縦枠部品と一対の横枠部品と、
前記一対の縦枠部品のうちの１つと、前記一対の横枠部品のうちの１つとを接続する接続部材とを
を有し、
前記接続部材は、板状部材とネジとを有し、
前記一対の縦枠部品のうちの１つと、前記一対の横枠部品のうちの１つとは、前記板状部材と前記ネジとによって接続される、照明器具。
【符号の説明】
【００６０】
１００    取付器具
１１０、１１０ａ、１１０ｂ    取付部材
１２０ａ、１２０ｂ  縦枠部品
１３０ａ、１３０ｂ  横枠部品
１３２    ベース部
１３４    起立部
１３６    内側面
１３７    外側面
１３８    貫通孔
１４０、１４０ａ、１４０ｂ、１４０ｃ、１４０ｄ    接続部材
１４２ａ  板状部材
１４４ａ、１４６ａ  ネジ
２００    照明器具
２１０、２１０ａ、２１０ｂ    灯具本体（取付対象物）
【図１】
2018186031.tif 000003
【図２】
2018186031.tif 000004
【図３】
2018186031.tif 000005
【図４】
2018186031.tif 000006
【図５】
2018186031.tif 000007
【図６】
2018186031.tif 000008
【図７】
2018186031.tif 000009
【図８】
2018186031.tif 000010
【図９】
2018186031.tif 000011
【図１０】
2018186031.tif 000012